【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
所定の巻数の主巻線と、
主巻線の所定の巻数の少なくとも半分に等しく、かつ主巻線の所定の巻数を上回らない巻数の不飽和化用追加巻線と、
不飽和化用追加巻線と直列に電気的に接続されたコンデンサと、
を備えており、
これらのコンデンサと不飽和化用追加巻線が、主巻線と並列に電気的に接続されており、
電流が主巻線を通って第一の向きに流れ、不飽和化用追加巻線を通って第二の向きに流れ、第二の向きが第一の向きと逆になるように、不飽和化用追加巻線が主巻線と逆向きに接続されている、
単相電気モーター。
【請求項２】
当該の主巻線が、所定の第一の断面積を有する導線から構成され、当該の不飽和化用追加巻線が、所定の第二の断面積を有する導線から構成されており、
この第一の断面積に対する第二の断面積の比率が一定であり、
その比率が、約２／３〜１／３である、
請求項１に記載の単相電気モーター。
【請求項３】
二つの半区間が互いに直列に電気的に接続された主巻線と、
二つの半区間が互いに直列に電気的に接続された不飽和化用追加巻線と、
不飽和化用追加巻線の二つの半区間と直列に電気的に接続されたコンデンサと、
を備えており、
これらの不飽和化用追加巻線とコンデンサが、主巻線と並列に接続されており、
不飽和化用追加巻線の半区間を通って流れる電流が主巻線の半区間を通って流れる電流と逆向きに流れるように、不飽和化用追加巻線の半区間の各々が、それに対応する主巻線の半区間と逆向きに接続されており、
不飽和化用追加巻線の各半区間の巻数が、主巻線の各半区間の所定の巻数の少なくとも半分に等しく、かつ主巻線の各半区間の所定の巻数を上回らない、
単相電気モーター。
【請求項４】
始動用巻線、始動用コンデンサ及び切替手段が、互いに直列に、かつ当該の主巻線及び不飽和化用追加巻線と並列に接続されている請求項３に記載の単相電気モーター。
【請求項５】
二つの半区間が互いに並列に電気的に接続された主巻線と、
二つの半区間が互いに直列に電気的に接続された不飽和化用追加巻線と、
不飽和化用追加巻線の二つの半区間と直列に接続されたコンデンサと、
を備えており、
これらの不飽和化用追加巻線の半区間とコンデンサが、主巻線と並列に接続されており、
不飽和化用追加巻線の半区間を通って流れる電流が主巻線の半区間を通って流れる電流と逆向きに流れるように、不飽和化用追加巻線の半区間の各々が、それに対応する主巻線の半区間と逆向きに接続されており、
不飽和化用追加巻線の各半区間の巻数が、主巻線の各半区間の所定の巻数の少なくとも半分に等しく、かつ主巻線の各半区間の所定の巻数を上回らない、
単相電気モーター。
【請求項６】
二つの半区間が互いに並列に電気的に接続された主巻線と、
二つの半区間が互いに並列に接続された不飽和化用追加巻線と、
不飽和化用追加巻線の二つの半区間と直列に電気的に接続されたコンデンサと、
を備えており、
これらの不飽和化用追加巻線の半区間とコンデンサが、主巻線と並列に電気的に接続されており、
不飽和化用追加巻線の半区間を通って流れる電流が主巻線の半区間を通って流れる電流と逆向きに流れるように、不飽和化用追加巻線の半区間の各々が、それに対応する主巻線の半区間と逆向きに接続されており、
不飽和化用追加巻線の各半区間の巻数が、主巻線の各半区間の所定の巻数の少なくとも半分に等しく、かつ主巻線の各半区間の所定の巻数を上回らない、
単相電気モーター。
【請求項７】
二つの半区間が互いに直列に電気的に接続された主巻線と、
二つの半区間が互いに並列に接続された不飽和化用追加巻線と、
不飽和化用追加巻線の二つの半区間と直列に接続されたコンデンサと、
を備えており、
これらの不飽和化用追加巻線の半区間とコンデンサが、主巻線と並列に接続されており、
不飽和化用追加巻線の半区間を通って流れる電流が主巻線の半区間を通って流れる電流と逆向きに流れるように、不飽和化用追加巻線の半区間の各々が、それに対応する主巻線の半区間と逆向きに接続されており、
不飽和化用追加巻線の各半区間の巻数が、主巻線の各半区間の所定の巻数の少なくとも半分に等しく、かつ主巻線の各半区間の所定の巻数を上回らない、
単相電気モーター。
【請求項８】
デルタ構成で互いに接続された第一、第二及び第三の主巻線と、
デルタ構成で互いに接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
各不飽和化用追加巻線が、第一、第二及び第三の主巻線に供給される電流と異なる位相で電流を供給されるように、第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
デルタ結線された三相電気モーター。
【請求項９】
星形構成で互いに電気的に接続された第一、第二及び第三の主巻線と、
星形構成で互いに電気的に接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
各不飽和化用追加巻線が、第一、第二及び第三の主巻線に供給される電流と異なる位相で電流を供給されるように、第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
星形結線された三相電気モーター。
【請求項１０】
デルタ構成で互いに電気的に接続された第一、第二及び第三の主巻線と、
デルタ構成で互いに電気的かつ機械的に接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の不飽和化用追加巻線が、第一、第二及び第三の主巻線のデルタ構成内において入れ子になっており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
デルタ結線された三相電気モーター。
【請求項１１】
デルタ構成で互いに電気的かつ機械的に接続された第一、第二及び第三の主巻線と、
星形構成で互いに電気的に接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
デルタ結線された三相電気モーター。
【請求項１２】
星形構成で互いに電気的に接続された第一、第二及び第三の主巻線と、
デルタ構成で互いに電気的に接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
星形結線された三相電気モーター。
【請求項１３】
デルタ構成で互いに電気的に接続された第一、第二及び第三の主巻線と、
デルタ構成で互いに電気的に接続された第一、第二及び第三の不飽和化用追加巻線と、
を備えており、
第一、第二及び第三の主巻線と不飽和化用追加巻線が、互いに入れ子にして物理的に重ね合わされており、
第一、第二及び第三の主巻線を通って流れる電流が第一の向きに流れ、第一、第二及び第三の不飽和化用追加巻線を通って流れる電流が第一の向きと逆の第二の向きに流れるように、第一、第二及び第三の不飽和化用追加巻線が、それぞれ第一、第二及び第三の主巻線と逆並列に接続されており、
各不飽和化用追加巻線が、第一、第二及び第三の主巻線に供給される電流と異なる位相で電流を供給されるとともに、１２０°の位相シフトが実現されるように、第一、第二及び第三のコンデンサが、それぞれ第一、第二及び第三の不飽和化用追加巻線と直列に接続されており、
第一、第二及び第三の不飽和化用追加巻線が、それらに対応する主巻線の巻数の５０％〜１００％の所定の巻数を有する、
デルタ結線された三相電気モーター。